(57)【要約】【課題】  アカウントアグリケーション等の口座を統合するサービスに係り、各口座の認証操作の煩わしさを解消するシステムに関する。【解決手段】  統合サービスメニュー２８０２で「統合表示」を選択し、カード入力指示画面２８０３で代表口座のカードを挿入し、代表口座の暗証番号入力画面２８０４で暗証番号を入力すると、代表口座の認証を行い、統合されている口座の選択を促す統合口座選択画面２８０５へ遷移する。この画面で、いずれかの口座を選択すると、予め登録されている情報に基づいて、選択された口座の認証を行い、そのサービスメニュー画面２８０７に遷移する。【選択図】        図２８
2005165739.tif 000002
【特許請求の範囲】
【請求項１】
口座を管理する複数の口座管理体のそれぞれの口座管理体サーバと、端末とに接続可能な統合サーバであって、以下の要素を有することを特徴とする統合サーバ
（１）複数の口座管理体で個別に管理する口座群を代表する代表口座を識別する代表口座識別情報と、上記口座群のうち代表口座以外の統合される統合対象口座に係る口座管理体を識別する統合対象口座管理体識別情報と、当該統合対象口座の口座を識別する統合対象口座識別情報と、当該統合対象口座の認証に用いる統合対象暗証番号とを記憶する統合テーブル
（２）端末で読み取った代表口座識別情報と、端末で利用者が入力した暗証番号を含む一括認証用口座認証判定依頼を端末から受信し、代表口座の認証を行う一括認証用代表口座認証部
（３）前記代表口座の認証が成功した場合に、統合テーブルで当該代表口座と対応付けられている統合対象口座識別情報と統合対象暗証番号を含む統合対象口座一括認証依頼を、当該代表口座と対応付けられている統合対象口座管理体識別情報により特定される口座管理体サーバに送信し、認証結果を当該口座管理体サーバから受信し、認証結果を端末に転送する一括認証用口座判定部。
【請求項２】
統合サーバは、更に、以下の要素を有することを特徴とする請求項１に記載の統合サーバ
（１）統合テーブルに登録する代表口座についての認証結果を得る口座認証判定部
（２）統合テーブルに登録する統合対象口座についての認証結果を得る口座認証中継部
（３）前記代表口座の認証が成功し、更に前記統合対象口座の認証が成功した場合に、前記代表口座の代表口座識別情報と、前記統合対象口座の統合対象口座管理体識別情報と統合対象口座識別情報と統合対象暗証番号とを対応付けて、統合テーブルに記憶させる統合座記録部。
【請求項３】
口座を管理する複数の口座管理体のそれぞれの口座管理体サーバに接続可能な統合サーバに接続可能な端末であって、以下の要素を有することを特徴とする端末
（１）複数の口座管理体で個別に管理する口座群を代表する代表口座の認証を依頼し、認証結果を受信する代表口座認証部
（２）上記口座群のうち代表口座以外の統合される統合対象口座の認証を依頼し、認証結果を受信する統合対象口座認証部
（３）代表口座の認証及び統合対象口座の認証に成功した場合に、代表口座と統合対象口座の暗証番号を関連つけて記憶するように、統合サーバに依頼する統合口座登録部。
【発明の詳細な説明】
【技術分野】
【０００１】
本発明は、アカウントアグリケーション等の口座を統合するサービスに係り、各口座の認証操作の煩わしさを解消するシステムに関する。
【背景技術】
【０００２】
「アカウントアグリケーション」と呼ばれるサービスが構想されている。このサービスは、顧客がその意思により登録した複数の口座（特に異なる企業で管理されている口座群）について、一元的に管理し、一箇所の端末から複数の口座に係るサービスを受けることができるようにするものである。
【０００３】
但し、このようなサービスにおいて、個々の口座毎の認証に係る操作が煩わしいという問題が生じる。
【特許文献１】特開平９−０２７０６４号公報
【発明の開示】
【発明が解決しようとする課題】
【０００４】
本発明は、上記した従来技術の欠点を除くためになされたものであって、その目的とするところは、アカウントアグリケーション等の口座を統合するサービスにおける各口座の認証の操作の煩わしさを解消することを課題とする。
【課題を解決するための手段】
【０００５】
本発明に係る統合サーバは、
口座を管理する複数の口座管理体のそれぞれの口座管理体サーバと、端末とに接続可能な統合サーバであって、以下の要素を有することを特徴とする
（１）複数の口座管理体で個別に管理する口座群を代表する代表口座を識別する代表口座識別情報と、上記口座群のうち代表口座以外の統合される統合対象口座に係る口座管理体を識別する統合対象口座管理体識別情報と、当該統合対象口座の口座を識別する統合対象口座識別情報と、当該統合対象口座の認証に用いる統合対象暗証番号とを記憶する統合テーブル
（２）端末で読み取った代表口座識別情報と、端末で利用者が入力した暗証番号を含む一括認証用口座認証判定依頼を端末から受信し、代表口座の認証を行う一括認証用代表口座認証部
（３）前記代表口座の認証が成功した場合に、統合テーブルで当該代表口座と対応付けられている統合対象口座識別情報と統合対象暗証番号を含む統合対象口座一括認証依頼を、当該代表口座と対応付けられている統合対象口座管理体識別情報により特定される口座管理体サーバに送信し、認証結果を当該口座管理体サーバから受信し、認証結果を端末に転送する一括認証用口座判定部。
【０００６】
統合サーバは、更に、以下の要素を有することを特徴とする
（１）統合テーブルに登録する代表口座についての認証結果を得る口座認証判定部
（２）統合テーブルに登録する統合対象口座についての認証結果を得る口座認証中継部
（３）前記代表口座の認証が成功し、更に前記統合対象口座の認証が成功した場合に、前記代表口座の代表口座識別情報と、前記統合対象口座の統合対象口座管理体識別情報と統合対象口座識別情報と統合対象暗証番号とを対応付けて、統合テーブルに記憶させる統合座記録部。
【０００７】
本発明に係る端末は、
口座を管理する複数の口座管理体のそれぞれの口座管理体サーバに接続可能な統合サーバに接続可能な端末であって、以下の要素を有することを特徴とする端末
（１）複数の口座管理体で個別に管理する口座群を代表する代表口座の認証を依頼し、認証結果を受信する代表口座認証部
（２）上記口座群のうち代表口座以外の統合される統合対象口座の認証を依頼し、認証結果を受信する統合対象口座認証部
（３）代表口座の認証及び統合対象口座の認証に成功した場合に、代表口座と統合対象口座の暗証番号を関連つけて記憶するように、統合サーバに依頼する統合口座登録部。
【発明の効果】
【０００８】
本発明においては、統合サーバで、統合する口座の口座管理体や暗証番号等の情報を予め統合テーブルに登録しておき、この情報を用いて統合対象口座の認証を一括して行い、各口座の認証操作の煩わしさを解消する。
【発明を実施するための最良の形態】
【０００９】
実施の形態１．
以下本発明を図面に示す実施例に基づいて説明する。まず、統合サービスシステムのネットワーク構成について説明する。ここでは、２つの例を示す。
本明細書では「口座」とは、預金口座のみならず、会員等の管理された番号を示すものである。
【００１０】
図１は、統合サービスシステムの論理的なネットワーク構成例（その１）を示す図である。Ａ銀行ネットワークには、Ａ銀行端末１とＡ銀行サーバ２が接続され、Ａ銀行サーバ２は、Ａ銀行の口座を管理し、Ａ銀行端末１は、Ａ銀行の利用者に口座に係るサービスのインターフェースを提供するように構成されている。Ｂ証券、Ｃ信販、Ｄローンのネットワークについても同様に構成されている。この例で、Ａ銀行、Ｂ証券、Ｃ信販、Ｄローンを口座管理体と呼ぶ。そして、各口座管理体のネットワークは、統合ネットワークに接続している。従って、各端末から他の口座管理体のサーバにアクセス可能なように構成されている。
【００１１】
図２は、統合サービスシステムの論理的なネットワーク構成例（その２）を示す図である。この例では、各口座管理体のサーバ同士が、統合ネットワークを介して接続されている。
【００１２】
統合サービスシステムでは、他の口座管理体でのサービスを受けられるものであり、その前提として各口座管理体での認証を簡便な手続きで行うことが求めれれる。そのため、本発明では、統合サービスを受ける事前準備として、予め各口座管理体での口座を統合する登録を行う統合登録の手続きと、統合サービスを受ける際に各口座管理体での認証を一括して行う一括認証の手続きを行うシステムを実現する。
【００１３】
まず、統合登録について説明する。図３は、統合登録に係る画面フローを示す図である。
【００１４】
この例は、Ａ銀行端末１での操作を想定している。統合サービスを開始する為に、統合登録しようとする利用者は、Ａ銀行メニュー画面３１から「統合サービス」を選択し、更に統合サービスメニュー画面３２から「統合登録」を選択する。そして、カード入力指示画面３３でＡ銀行の口座のカードを挿入し、暗証番号入力画面３４でＡ銀行の口座の暗証番号を入力する。この例で、Ａ銀行の口座は、他の口座管理体の口座群を代表する代表口座となる。認証が成功するとカードを排出し、カード入力指示画面３５に遷移する。カード入力指示画面３５では、統合登録する他の口座管理体の口座のカードを挿入し、暗証番号入力画面３６で当該他の口座管理体の口座の暗証番号を入力する。当該他の口座管理体での認証が成功すると、統合口座登録指示画面３７に遷移し、統合登録の指示入力を促す。この際、Ａ銀行の口座の情報と、統合対象である他の口座管理体の口座の情報が、利用者の確認の便宜の為に表示される。更に統合登録する場合には、また別の口座管理体の口座のカードを挿入し、暗証番号入力画面３６と統合口座登録指示画面３７における同様の手続きを行う。そして、カード入力指示画面３５で「完了」を選択すると、統合口座確認画面３８に遷移し、統合登録された口座の情報を確認できる。尚、この画面で「削除」を選択すると、選択した口座については統合登録を取り消す処理がなされる。以下、この画面フローを前提として、これらの手続きに伴う統合登録処理の実現手段について説明する。尚、統合される口座は、原則として、同一名義人であることが前提となる。
【００１５】
まず、統合登録に関連する各装置のモジュールについて説明する。図４は、統合登録に係る各装置の構成（その１）を示す図である。
【００１６】
Ａ銀行端末１は、代表口座認証部１１０（代表口座認証判定依頼部１１１を含む）、統合対象口座認証部１２０（統合対象口座認証判定依頼部１２１を含む）、統合口座登録部１３０（統合口座記録依頼部１３１を含む）、及び統合口座確認部１４０の各モジュールを有している。また、Ａ銀行サーバ２は、口座認証判定部２０１、口座認証中継部２０２、統合口座記録部２０３、統合口座表示情報提供部２０４、統合口座削除部２０５、Ａ銀行口座テーブル２０６、及び統合テーブル２０７の各モジュールを有している。Ｂ証券サーバ３は、Ｂ証券口座テーブル３０１と口座認証判定部３０２を有し、Ｃ信販サーバ４は、口座認証判定部４０１とＣ信販口座テーブル４０２を有し、Ｄローンサーバ５は、口座認証判定部５０１とＤローン口座テーブル５０２を有している。この例で、Ａ銀行サーバ２は、代表口座管理体サーバであり、更に統合サーバの機能を兼ねている。モジュール間のデータフローについては、後述する。
【００１７】
次に、各テーブルの構成について説明する。図５は、Ａ銀行口座テーブルの例を示す図である。口座毎にレコードを設け、口座番号、暗証番号、名義や住所等の利用者情報の項目を有し、それぞれ対応付けられている。口座番号は、初期状態において予めシーケンシャルな番号が付されている。Ｂ証券口座テーブル、Ｃ信販口座テーブル、Ｄローン口座テーブルも図６から図８に示すように同様の構成を有している。この例では、単純化して説明する為に同じ構成を示したが、実際は、各テーブル毎に独自のフォーマットを従い、項目の順番や項目長はそれぞれに異なる。
【００１８】
図９は、統合テーブルの例（その１）を示す図である。代表口座を代表とする統合関係毎にレコードを設け、代表口座番号、統合数、複数の統合対象の項目群（統合対象口座管理体ＩＤ、統合対象口座番号、統合対象暗証番号）の項目を有し、それぞれ対応付けられている。代表口座番号は、初期状態において予めシーケンシャルな番号が付されている。この例は、代表口座を管理する口座管理体がＡ銀行であることを前提としている。
【００１９】
続いて、統合登録の処理について説明する。図１０は、統合登録処理フローを示す図である。
【００２０】
代表口座認証処理（Ｓ１００１）は、図４に示した代表口座認証部１１０による処理であって、図３のカード入力指示画面３３と暗証番号入力画面３４に係る処理を行う。詳しくは、図１１から図１４を用いて後述する。
【００２１】
統合対象口座認証処理（Ｓ１００２）は、図４に示した統合対象口座認証部１２０による処理であって、図３のカード入力指示画面３５と暗証番号入力画面３６に係る処理を行う。詳しくは、図１５から図１９を用いて後述する。
【００２２】
統合口座登録処理（Ｓ１００３）は、図４に示した統合口座登録部１３０による処理であって、図３の統合口座登録指示画面３７に係る処理を行う。詳しくは、図２０から図２３を用いて後述する。
【００２３】
統合口座確認処理（Ｓ１００４）は、図４に示した統合口座確認部１４０による処理であって、図３の統合口座確認画面３８に係る処理を行う。詳しくは、図２４から図２７を用いて後述する。
【００２４】
まず、代表口座認証処理（Ｓ１００１）について説明する。図１１は、代表口座認証処理に係る構成とデータフローを示す図である。図１２は、代表口座認証処理フローを示す図である。
【００２５】
代表口座に関するカード入力指示画面３３を出力し、代表口座とするＡ銀行の口座のカードの挿入を促す（Ｓ１２０１）。取得したイベントが（Ｓ１２０２）、カード挿入であった場合には（Ｓ１２０３）、暗証番号入力画面を出力し、当該口座の暗証番号の入力を促す（Ｓ１２０４）。取得したイベントが（Ｓ１２０５）、暗証番号の入力済を意味する「完了アイコン」であった場合には（Ｓ１２０６）、Ａ銀行サーバ２に認証を依頼する代表口座認証判定依頼処理（Ｓ１２０７）を行う。当該処理は、図１３を用いて後述する。認証が成功した場合でも、失敗した場合でもカードを排出する（Ｓ１２０８，Ｓ１２０９）。そして、認証結果をステータスとして出力して終了する。
【００２６】
代表口座認証判定依頼処理（Ｓ１２０７）について詳述する。図１３は、代表口座認証判定依頼処理フロー（その１）を示す図である。
【００２７】
カードから口座番号を読み取り（Ｓ１３０１）、カード中の口座番号と、暗証番号入力画面で入力された暗証番号を含む口座認証判定依頼を生成し、Ａ銀行サーバ（代表口座管理サーバ）に送信する（Ｓ１３０２）。このときのＡ銀行サーバ側の処理については、図１４を用いて後述する。Ａ銀行サーバ（代表口座管理サーバ）から認証結果を受信すると（Ｓ１３０３）、認証結果をステータスとして出力して終了する（Ｓ１３０４）。
【００２８】
口座認証判定依頼（Ｓ１３０２）を受けた場合のＡ銀行サーバ側の処理について詳述する。図１１に示すように、口座認証判定部２０１により処理を行う。図１４は、口座認証判定処理フロー＜Ａ銀行サーバ側＞を示す図である。
【００２９】
口座認証判定部２０１は、口座番号と暗証番号を含む口座認証判定依頼を受信すると（Ｓ１４０１）、Ａ銀行口座テーブル２０６の中から、口座認証判定依頼の口座番号と一致する口座番号のレコードを特定する。そして、当該レコードの暗証番号を読み取る（Ｓ１４０２）。そして、口座認証判定依頼の暗証番号をＡ銀行口座テーブル２０６から得た暗証番号を比較する（Ｓ１４０３）。一致した場合には、認証結果を成功とし（Ｓ１４０４）、不一致の場合には、認証結果を失敗とし（Ｓ１４０５）、依頼元へ認証結果を返信する（Ｓ１４０６）。
【００３０】
続いて、統合対象口座認証処理（Ｓ１００２）について詳述する。図１５は、統合対象口座認証処理に係る構成とデータフローを示す図である。図１６は、統合対象口座認証処理フローを示す図である。
【００３１】
統合対象口座に関するカード入力指示画面３５を出力し（Ｓ１６０１）、統合する対象となる口座のカードの挿入を促す。取得したイベントが（Ｓ１６０２）、カード挿入であった場合には（Ｓ１６０３）、暗証番号入力画面３６を出力し、当該口座の暗証番号の入力を促す（Ｓ１６０４）。取得したイベントが（Ｓ１６０５）、暗証番号の入力済を意味する「完了アイコン」であった場合には（Ｓ１６０６）、統合対象口座管理体（例えば、Ｂ証券）における認証を依頼する統合対象口座認証判定依頼処理（Ｓ１６０７）を行う。当該処理は、図１７を用いて後述する。そして、認証結果をステータスとして出力して終了する。尚、Ｓ１６０２で取得したイベントが、「完了アイコン」であった場合には、完了のステータスを出力した終了する（Ｓ１６０８）。
【００３２】
統合対象口座認証判定依頼処理（Ｓ１６０７）について詳述する。図１７は、統合対象口座認証判定依頼処理フロー（その１）を示す図である。
【００３３】
カードからカード種別を読み取る（Ｓ１７０１）。カード種別は、口座管理体を特定し得るものであって、例えば、口座管理体ＩＤそのものであり、あるいは口座管理体と対応関係が予め定められているものである。また、カード種別によってカードの記憶領域のフォーマットを特定できる。従って、カード種別のフォーマットに従って、カードから口座番号を読み取る（Ｓ１７０２）。カード種別と、カード中の口座番号と、暗証番号入力画面３６で入力された暗証番号を含む口座認証中継依頼を生成し、Ａ銀行サーバ（代表口座管理サーバ）に送信する（Ｓ１７０３）。このときのＡ銀行サーバ側の処理については、図１８を用いて後述する。そして、Ａ銀行サーバ（代表口座管理サーバ）から認証結果を受信すると（Ｓ１７０４）、認証結果をステータスとして出力して終了する（Ｓ１７０５）。
【００３４】
口座認証中継依頼（Ｓ１７０３）を受けた場合のＡ銀行サーバ側の処理について詳述する。図１８は、口座認証中継処理フロー＜Ａ銀行サーバ側＞を示す図である。
【００３５】
カード種別と口座番号と暗証番号を含む口座認証中継依頼を受信すると（Ｓ１８０１）、カード種別に対応する統合対象口座管理サーバを特定する（Ｓ１８０２）。そして、口座認証中継依頼のものと同じ口座番号と暗証番号を含む口座認証判定依頼を、統合対象口座管理サーバへ送信する（Ｓ１８０３）。このときの統合対象口座管理サーバ側の処理は、図１９を用いて後述する。そして、統合対象口座管理サーバから認証結果を受信すると（Ｓ１８０４）、依頼元へ認証結果を転送して（Ｓ１８０５）、終了する。この例で、依頼元はＡ銀行端末１となる。
【００３６】
口座認証判定依頼を受けた場合の統合対象口座管理サーバ（例えば、Ｂ証券サーバ）側の処理について説明する。図１９は、口座認証判定処理フロー＜Ｂ証券サーバ側＞を示す図である。
【００３７】
口座番号と暗証番号を含む口座認証判定依頼を受信すると（Ｓ１９０１）、自サーバ内の口座テーブルについて、口座認証判定依頼の口座番号と一致する口座番号のレコードを特定する。そして、当該レコードの暗証番号を読み取り（Ｓ１９０２）、口座認証判定依頼の暗証番号を口座テーブルから得た暗証番号を比較する（Ｓ１９０３）。一致した場合には、認証結果を成功とし（Ｓ１９０４）、不一致の場合には、認証結果を失敗とする（Ｓ１９０５）。そして、依頼元へ認証結果を返信する（Ｓ１９０６）。この例で、依頼元は、Ａ銀行サーバ２となる。
【００３８】
次に、統合口座登録処理（Ｓ１００３）について詳述する。図２０は、統合口座登録処理に係る構成とデータフローを示す図である。図２１は、統合口座登録処理フローを示す図である。
【００３９】
代表口座表示情報（代表口座管理体の名称（例えば銀行名、支店名）、口座番号）を特定する（Ｓ２１０１）。この例では、代表口座認証部１１０で記憶している情報を読み取る。更に、認証結果が成功であった統合対象口座の統合対象口座表示情報（統合対象口座管理体の名称（例えば証券会社名）、口座番号）を特定する（Ｓ２１０２）。この例では、統合対象口座認証部１２０で記憶している情報を読み取る。そして、代表口座表示情報と統合対象口座表示情報を含む統合口座登録指示画面３７を生成し、出力する（Ｓ２１０３）。当該画面は、統合対象口座を登録する指示の入力を促すように構成されている。取得したイベントが（Ｓ２１０４）、登録を指示する「登録アイコン」であった場合には（Ｓ２１０５）、Ａ銀行サーバに統合対象口座の情報を記録するように依頼する統合口座記録依頼処理（Ｓ２１０６）を行う。当該処理については、図２２を用いて後述する。一方、取得したイベントが「取消アイコン」であった場合には（Ｓ２１０７）、統合口座記録依頼処理を処理しない。最後にカードを排出して終了する。
【００４０】
統合口座記録依頼処理（Ｓ２１０６）について詳述する。図２２は、統合口座記録依頼処理フローを示す図である。
【００４１】
代表口座特定情報（この例では、代表口座番号）と統合対象口座特定情報（この例では、統合対象口座管理体ＩＤ、統合対象口座番号、暗証番号）とを含む統合口座記録依頼を生成し、Ａ銀行サーバ（代表口座管理サーバ）に送信する（Ｓ２２０１）。このときの、Ａ銀行サーバ側の処理については、図２３を用いて後述する。そして、代表口座特定情報と統合対象口座特定情報を内部記憶領域から消去する（Ｓ２２０２）。そして、処理完了通知を受けた時点で終了する（Ｓ２２０３）。
【００４２】
統合口座記録依頼（Ｓ２２０１）を受けた場合のＡ銀行サーバ側について説明する。図２３は、統合口座記録処理フロー＜Ａ銀行サーバ側＞を示す図である。この処理は、図２０に示すように、統合口座記録部２０３により行われる。
【００４３】
代表口座特定情報（代表口座番号）と統合対象口座特定情報（統合対象口座管理体ＩＤ、統合対象口座番号、暗証番号）とを含む統合口座記録依頼を受信すると（Ｓ２３０１）、統合テーブル２０７で、統合口座記録依頼の代表口座番号と一致するレコードを特定する（Ｓ２３０２）。そして、当該レコードの統合数をインクリメントする（Ｓ２３０３）。インクリメントした統合数に対応する統合対象Ｎｏの項目群に、統合口座記録依頼の統合対象口座管理体ＩＤ、統合対象口座番号、暗証番号を記録する（Ｓ２３０４）。最後に、依頼元へ処理完了通知を返信する（Ｓ２３０５）。この例で、依頼元は、Ａ銀行端末１となる。
【００４４】
次に、統合口座確認処理（Ｓ１００４）について詳述する。図２４は、統合口座確認処理に係る構成とデータフローを示す図である。図２５は、統合口座確認処理フローを示す図である。
【００４５】
代表口座表示情報（代表口座管理体の名称（例えば銀行名、支店名）、口座番号）を特定する（Ｓ２５０１）。この例では、代表口座認証部１１０で記憶している情報を読み取る。代表口座特定情報（代表口座番号）を含む統合口座表示情報要求をＡ銀行サーバ（代表口座管理サーバ）に送信する（Ｓ２５０２）。このときのＡ銀行サーバ２側の処理については、図２６を用いて後述する。統合対象口座表示情報（統合対象口座管理体ＩＤ、統合対象口座番号）を受信し（Ｓ２５０３）、この表示情報を含む統合口座確認画面３８を生成し、出力する（Ｓ２５０４）。取得したイベントが（Ｓ２５０５）、「確認アイコン」の場合はそのまま終了する（Ｓ２５０９）。これに対し、イベントが「削除アイコン」であった場合は（Ｓ２５０６）、代表口座特定情報（代表口座番号）と削除する統合対象口座特定情報（統合対象口座管理体ＩＤ、統合対象口座番号）を含む統合口座削除要求を生成し、Ａ銀行サーバ（代表口座管理サーバ）に送信する（Ｓ２５０７）。このときのＡ銀行サーバ２側の処理は、図２７を用いて後述する。削除要求に対する完了通知待ちを待って（Ｓ２５０８）、最初のステップ（Ｓ２５０１）へ移行する。
【００４６】
統合口座表示情報要求を受けたときのＡ銀行サーバ２側の処理について詳述する。図２６は、統合口座表示情報提供処理フロー＜Ａ銀行サーバ側＞を示す図である。
【００４７】
代表口座特定情報（代表口座番号）を含む統合口座表示情報要求を受信すると（Ｓ２６０１）、統合テーブル２０７から、統合口座表示情報要求の代表口座番号と一致するレコードを特定する（Ｓ２６０２）。そして、当該レコードの統合対象口座管理体ＩＤと統合対象口座番号を取得し（Ｓ２６０３）、依頼元へ統合対象口座表示情報（統合対象口座管理体ＩＤ、統合対象口座番号）を返信する（Ｓ２６０４）。この例で、依頼元は、Ａ銀行端末１となる。
【００４８】
統合口座削除要求（Ｓ２５０７）を受けたときのＡ銀行サーバ２側の処理について詳述する。図２７は、統合口座削除処理フロー＜Ａ銀行サーバ側＞を示す図である。
【００４９】
代表口座特定情報（代表口座番号）と削除する統合対象口座特定情報（統合対象口座管理体ＩＤ、統合対象口座番号）を含む統合口座削除要求を受信すると（Ｓ２７０１）、統合テーブル２０７で、統合口座削除要求の代表口座番号と一致するレコードを特定する（Ｓ２７０２）。そして、当該レコードの統合数をデクリメントする（Ｓ２７０３）。更に、統合口座削除要求の統合対象口座管理体ＩＤと統合対象口座番号と一致する統合対象Ｎｏの項目群（統合対象口座管理体ＩＤ、統合対象口座番号、暗証番号）をクリアし、後続の統合対象Ｎｏの項目群を詰める（Ｓ２７０４）。最後に、依頼元へ処理完了通知を返信して、終了する（Ｓ２７０５）。この例で、依頼元は、Ａ銀行端末１となる。
【００５０】
上述の統合登録により統合サービスを開始する準備が完了する。これ以降、実際に統合サービスを受ける際の一括認証について説明する。図２８は、一括認証に係る画面フローを示す図である。
【００５１】
この例は、Ａ銀行端末１での操作を想定している。実際に統合サービスを受ける場合には、Ａ銀行メニュー画面２８０１で「統合サービス」を選択し、統合サービスメニュー画面２８０２で具体的な統合サービスを選択する。この例では、統合されている各口座の情報を表示させる「統合表示」を選択している。但し、「統合表示」に限らず、統合されている口座についての認証を必要とするサービスについては、以下に示す一括認証の処理を行う。カード入力指示画面２８０３で代表口座のカードの挿入を促す。カードが挿入されると暗証暗号入力画面２８０４に遷移し、代表口座の暗証番号の入力を促す。この画面で「完了アイコン」を選択すると、代表口座の認証を行い、成功すると各口座を表示してサービスを求める口座の選択を促す統合口座選択画面２８０５へ遷移する。この画面で、いずれかの口座を選択すると、予め登録されている情報に基づいて、選択された口座の認証を行う。成功すると、Ｂ証券メニュー画面２８０７に遷移し、選択した口座のサービスを受けることができるようになる。また、統合口座選択画面２８０５で認証に失敗したときは、認証結果表示画面２８０６で認証に失敗した旨を表示し、「戻る」ボタンで、統合口座選択画面２８０５に戻る。ネットワークエラーなどのシステム上の問題で、認証できないことが判明しているときは、統合口座選択画面２８０５に詳細なエラー情報と、対処方法を表示するように構成しても良い。B証券メニュー画面２８０７では、B証券の口座サービスを受けることができるが、「暗証番号変更」を選択したときは、暗証番号変更画面２８０８を表示する。暗証番号変更画面２８０８では、旧暗証番号と、新暗証番号を入力するが、ここで暗証番号を変更したときは、A銀行サーバ２にある統合テーブル２０７の該当する統合対象口座の暗証番号も変更するように、構成する。
【００５２】
まず、一括認証に関連する各装置のモジュールについて説明する。図２９は、一括認証に係る各装置の構成（その１）を示す図である。
【００５３】
Ａ銀行端末１は、一括認証用代表口座認証部１５０（一括認証用代表口座認証判定依頼部１５１を含む）、統合対象口座一括認証部１６０（統合対象口座一括認証判定依頼部１６１を含む）、及び統合対象口座個別認証部１７０の各モジュールを有している。また、Ａ銀行サーバ２は、一括認証用口座認証判定部２０８、一括認証用口座認証中継部２０９、及び個別認証用口座認証中継部２１０を有している。統合口座表示情報提供部２０４、Ａ銀行口座テーブル２０６、及び統合テーブル２０７は、前述の通りである。
【００５４】
続いて、一括認証の処理について説明する。図３０は、一括認証処理フローを示す図である。
【００５５】
一括認証用代表口座認証処理（Ｓ３００１）は、図２９に示した一括認証用代表口座認証部１５０による処理であって、図２８のカード入力指示画面２８０３と暗証暗号入力画面２８０４に係る処理を行う。詳しくは、図３１から図３４を用いて後述する。
【００５６】
統合対象口座一括認証処理（Ｓ３００２）は、図２９に示した統合対象口座一括認証部１６０による処理であって、図２８の統合口座選択画面２８０５に係る処理を行う。詳しくは、図３５から図３８を用いて後述する。
【００５７】
まず、一括認証用代表口座認証処理（Ｓ３００１）について説明する。図３１は、一括認証用代表口座認証処理に係る構成とデータフロー（その１）を示す図である。図３２は、一括認証用代表口座認証処理フローを示す図である。
【００５８】
代表口座に関するカード入力指示画面２８０３を出力し、代表口座であるＡ銀行の口座のカードの挿入を促す（Ｓ３２０１）。取得したイベントが（Ｓ３２０２）、カード挿入であった場合には（Ｓ３２０３）、暗証番号入力画面２８０４を出力し、当該口座の暗証番号の入力を促す（Ｓ３２０４）。取得したイベントが（Ｓ３２０５）、暗証番号の入力済を意味する「完了アイコン」であった場合には（Ｓ３２０６）、Ａ銀行サーバ２に認証を依頼する一括認証用代表口座認証判定依頼処理（Ｓ３２０７）を行う。当該処理は、図３３を用いて後述する。そして、認証結果をステータスとして出力して終了する。
【００５９】
一括認証用代表口座認証判定依頼処理（Ｓ３２０７）について詳述する。図３３は、一括認証用代表口座認証判定依頼処理フロー（その１）を示す図である。
【００６０】
カードから口座番号を読み取り（Ｓ３３０１）、カード中の口座番号と、暗証番号入力画面２８０４で入力された暗証番号を含む一括認証用口座認証判定依頼を生成し、Ａ銀行サーバ（代表口座管理サーバ）に送信する（Ｓ３３０２）。このときのＡ銀行サーバ側の処理については、図３４を用いて後述する。Ａ銀行サーバ（代表口座管理サーバ）から認証結果を受信すると（Ｓ３３０３）、認証結果をステータスとして出力して終了する（Ｓ３３０４）。
【００６１】
一括認証用口座認証判定依頼（Ｓ３３０２）を受けた場合のＡ銀行サーバ側の処理について詳述する。図３１に示すように、一括認証用口座認証判定部２０８により処理を行う。図３４は、一括認証用口座認証判定処理フロー＜Ａ銀行サーバ側＞を示す図である。
【００６２】
一括認証用口座認証判定部２０８は、口座番号と暗証番号を含む一括認証用口座認証判定依頼を受信すると（Ｓ３４０１）、統合テーブル２０７について、一括認証用口座認証判定依頼の口座番号と一致する代表口座番号のレコードを検索する（Ｓ３４０２）。該当するレコードがない場合や（Ｓ３４０３）、当該レコードの統合数が０の場合は（Ｓ３４０４）、認証結果を失敗する。一方、当該レコードの統合数が１以上の場合は（Ｓ３４０４）、Ａ銀行口座テーブル２０６の中で、一括認証用口座認証判定依頼の口座番号と一致する口座番号のレコードを特定し、当該レコードの暗証番号を読み取る（Ｓ３４０５）。そして、一括認証用口座認証判定依頼の暗証番号をＡ銀行口座テーブル２０６から得た暗証番号を比較する（Ｓ３４０６）。一致した場合には、認証結果を成功とし（Ｓ３４０７）、不一致の場合には、認証結果を失敗とする（Ｓ３４０８）。最後に依頼元へ認証結果を返信する（Ｓ３４０９）。この例で、依頼元は、Ａ銀行端末１である。
【００６３】
続いて、統合対象口座一括認証処理（Ｓ３００２）について詳述する。図３５は、統合対象口座一括認証処理に係る構成とデータフローを示す図である。図３６は、統合対象口座一括認証処理フローを示す図である。
【００６４】
代表口座特定情報（代表口座番号）を含む統合口座表示情報要求をＡ銀行サーバ（代表口座管理サーバ）に送信し（Ｓ３６０１）、統合対象口座表示情報（統合対象口座管理体ＩＤ、統合対象口座番号）をＡ銀行サーバ２から受信する（Ｓ３６０２）。そして、受信した統合対象口座表示情報を含む統合口座選択画面２８０５を生成し、出力する（Ｓ３６０３）。当該画面で取得したイベントが（Ｓ３６０４）、「選択アイコン」の場合には（Ｓ３６０５）、統合対象口座の認証判定を依頼する統合対象口座一括認証判定依頼処理（Ｓ３６０６）を行う。当該処理は、図３７を用いて後述する。そして、認証結果をステータスとして出力して終了する。
【００６５】
統合対象口座一括認証判定依頼処理（Ｓ３６０６）について詳述する。図３７は、統合対象口座一括認証判定依頼処理フローを示す図である。
【００６６】
統合口座選択画面２８０５で選択された統合対象口座の統合対象口座管理体ＩＤと統合対象口座番号（及び代表口座番号）を含む統合対象口座一括認証依頼を生成し、Ａ銀行サーバ（代表口座管理サーバ）に送信する（Ｓ３７０１）。Ａ銀行サーバ２側で、代表口座番号を特定できる場合には、当該依頼に代表口座番号を含める必要はない。このときのＡ銀行サーバ側の処理については、図３８を用いて後述する。Ａ銀行サーバ（代表口座管理サーバ）から認証結果を受信すると（Ｓ３７０２）、認証結果をステータスとして出力して終了する（Ｓ３７０３）。
【００６７】
統合対象口座一括認証依頼（Ｓ３７０１）を受けた場合のＡ銀行サーバ側の処理について詳述する。図３５に示すように、一括認証用口座認証中継部２０９により処理を行う。図３８は、一括認証用口座認証中継処理フロー＜Ａ銀行サーバ側＞を示す図である。
【００６８】
一括認証用口座認証中継部２０９は、統合対象口座の統合対象口座管理体ＩＤと統合対象口座番号（及び代表口座番号）を含む統合対象口座一括認証依頼を受信し（Ｓ３８０１）、代表口座番号を特定する（Ｓ３８０２）。当該依頼に代表口座番号が含まれる仕様の場合には、その代表口座番号を用いる。また、Ａ銀行サーバ２側で、Ａ銀行端末１との一連の通信の間、代表口座番号を記憶し、維持している場合には、その代表口座番号を用いる。そして、統合テーブル２０７の中から当該代表口座番号を含むレコードを検索する（Ｓ３８０３）。検索したレコード中で、統合対象口座一括認証依頼に含まれる統合対象口座管理体ＩＤと統合対象口座番号と同一のものを有する統合対象の項目群を特定し（Ｓ３８０４）、当該統合対象の項目群の暗証番号を読み取る（Ｓ３８０５）。次に、統合対象口座一括認証依頼に含まれる統合対象口座管理体ＩＤに対応する統合対象口座管理サーバを特定し（Ｓ３８０６）、統合対象口座に含まれる統合対象口座番号とＳ３８０５で読み取った暗証番号を含む口座認証判定依頼を生成し、統合対象口座管理サーバへ送信する（Ｓ３８０７）。そして、統合対象口座管理サーバ（この例では、Ｂ証券サーバ３）から認証結果を受信すると（Ｓ３８０８）、依頼元へ認証結果を転送する（Ｓ３８０９）。このとき、依頼元は、Ａ銀行端末１となる。
【００６９】
次に、図２８のＢ証券メニュー画面２８０７で「暗証番号変更」を選択したときの処理について、図３９〜図４１を用いて詳述する。図３９は、暗証番号変更処理に係る構成とデータフローを示す図である。図３９に示すように、暗証番号変更画面２８０８で、Ａ銀行端末１の統合対象口座個別認証部１７０が「旧暗証番号」と、「新暗証番号」を受付けると、Ａ銀行サーバ２の個別認証用口座認証中継部２１０が統合対象口座管理体を判別して、Ｂ証券サーバ３へ情報を中継する。また個別認証用口座認証中継部２１０は、Ｂ証券サーバ３から暗証番号が変更された情報と、口座番号、新しい暗証番号を受信し、統合口座更新部２１１に、その情報を中継すると、統合口座更新部２１１が統合テーブル２０７の該当する口座番号の暗証番号を変更する。
【００７０】
図４０は、Ｂ証券サーバ３での暗証番号変更処理フローを示す図である。暗証番号変更依頼、口座番号、旧暗証番号、新暗証番号を受付けると（Ｓ４００１）、口座認証判定部３０１がＢ証券口座テーブル３０２を参照し、旧暗証番号と、口座番号の再確認をし（Ｓ４００２）、再確認ができれば、暗証番号を旧暗証番号から新暗証番号に変更する（Ｓ４００３）。その後、口座番号と新暗証番号を依頼元に返信する（Ｓ４００４）。Ｓ４００２で、旧暗証番号にて認証ができなければ、暗証番号変更に失敗した旨を、依頼元に返信する（Ｓ４００５）。
【００７１】
図４１は、Ｂ証券サーバ３から結果を受信した、Ａ銀行サーバ２での処理フローを示す図である。受信した結果が暗証番号成功であるかどうか判別し（Ｓ４１０１）、成功であるときは、口座番号と、新しい暗証番号とを受信する（Ｓ４１０２）。統合口座更新部２１１は、受信した口座番号に基づき、統合テーブル２０７で対象となる口座を特定し（Ｓ４１０３）、暗証番号を変更する（Ｓ４１０４）。その後、成功した旨をＡ銀行端末１へ返信する（Ｓ４１０５）。Ｓ４１０１で、失敗であると判別したときは、失敗した旨をＡ銀行端末１へ返信する（Ｓ４１０６）。その後、Ａ銀行端末１では、暗証番号変更画面２８０８を再出力するように構成してもよい。図３９〜図４１に示したように、Ａ銀行端末１で統合対象であるＢ証券の口座の暗証番号を変更することができ、またＡ銀行サーバ２にある統合テーブル２０７の対応する暗証番号も合わせて変更することができるので、統合サービスの利便性を向上させることができる。
【００７２】
実施の形態２．
実施の形態１では、Ａ銀行端末１からＡ銀行以外の統合対象管理体のサーバに認証を求める場合に、Ａ銀行サーバ２が認証依頼を中継したが、本実施の形態では、Ａ銀行端末１からＡ銀行以外の統合対象管理体のサーバに直接的に認証を求める形態について説明する。本実施の形態では、図１に示したネットワーク構成を前提として説明する。
【００７３】
具体的には、図１０に示した統合対象口座認証（Ｓ１００２）のうち図１６に詳細に示した統合対象口座認証判定依頼処理（Ｓ１６０７）が、実施の形態１と異なる。
【００７４】
まず、統合対象口座認証判定依頼処理（Ｓ１６０７）について説明する。実施の形態１で示した図１５の構成と図１７の処理に代えて、本実施の形態では図４２の構成と図４３の処理に従う。図４２は、統合対象口座認証判定依頼処理に係る構成とデータフロー（その２）を示す図である。図４３は、統合対象口座認証判定依頼処理フロー（その２）を示す図である。
【００７５】
カードからカード種別を読み取り（Ｓ４３０１）、カード種別のフォーマットに従って、カードから口座番号を読み取る（Ｓ４３０２）。そして、カード種別に対応する統合対象口座管理サーバを特定し（Ｓ４３０３）、カード中の口座番号と、暗証番号入力画面３６で入力された暗証番号を含む口座認証判定依頼を生成し、当該統合対象口座管理サーバに送信する（Ｓ４３０４）。例えば、Ｂ証券サーバ３に直接認証を依頼する。統合対象口座管理サーバから認証結果を受信し（Ｓ４３０５）、認証結果をステータスとして出力して終了する（Ｓ４３０６）。
【００７６】
また、図２８のＢ証券メニュー画面２８０７で「暗証番号変更」を選択したときの処理について、実施の形態１と異なるのは、Ａ銀行端末１からＢ証券サーバ３へ暗証番号変更依頼、口座番号、旧暗証番号、新暗証番号を送信し、暗証番号変更が成功したときは、Ａ銀行端末１からＡ銀行サーバ２へ統合テーブル２０７の該当する統合対象口座の、暗証番号を変更する依頼をすることである。つまり実施の形態１では、Ａ銀行端末１→Ａ銀行サーバ２→Ｂ証券サーバ３→Ａ銀行サーバ２→Ａ銀行端末１と処理、データが流れていたのに対して、本実施の形態では、Ａ銀行端末１→Ｂ証券サーバ３→Ａ銀行端末１→Ａ銀行サーバ２と処理、データが流れる。
【００７７】
実施の形態３．
上述の実施の形態では、Ａ銀行サーバ２は、代表口座管理体サーバであり、更に統合サーバの機能を兼ねている例を示した。本実施の形態では、統合サーバを分離させ、独立して機能させる例について説明する。
【００７８】
図４４は、統合サービスシステムのネットワーク構成例（その３）を示す図である。本実施の形態では、統合サーバ６が統合ネットワークに接続されている。
【００７９】
図４５は、統合登録に係る各装置の構成（その２）を示す図である。図に示すように、統合サーバ６は、実施の形態１におけるＡ銀行サーバ２の構成モジュールと同様の口座認証中継部２０２、統合口座記録部２０３、統合口座表示情報提供部２０４、統合口座削除部２０５、及びＡ銀行口座テーブル２０６を備えている。そして、Ａ銀行サーバ２は、Ａ銀行口座テーブル２５１（Ａ銀行口座テーブル２０６と同じ）と口座認証判定部２５２（口座認証判定部２０１と同じ）から構成される。
【００８０】
但し、統合テーブル２０７については、一部構成が異なる。図４６は、統合テーブルの例（その２）を示す図である。本実施の形態では、代表口座管理体をＡ銀行に固定していない。従って、任意の代表口座管理体を設定できるようにする為に、代表口座管理体ＩＤ４０８を項目として追加している。
【００８１】
本実施の形態では、統合登録の代表口座認証の際に挿入したカードに係る口座が代表口座となるが、その管理体はカード種別によって異なる。従って、代表口座認証判定依頼処理（Ｓ１２０７）の内容が、前述の形態と異なる。図４７は、代表口座認証判定依頼処理に係る構成とデータフロー（その２）を示す図である。また、図４８は、代表口座認証判定依頼処理フロー（その２）を示す図である。
【００８２】
まず、挿入されているカードからカード種別と口座番号を読み取り（Ｓ４８０１）、カード中のカード種別と口座番号と、暗証番号入力画面２８０４で入力された暗証番号を含む口座認証中継依頼を生成し、統合サーバ（代表口座管理サーバ）に送信する（Ｓ４８０２）。そして、統合サーバ（代表口座管理サーバ）から認証結果を受信すると（Ｓ４８０３）、認証結果をステータスとして出力する（Ｓ４８０４）。
【００８３】
統合サーバ６側の口座認証中継部２０２は、前述の通り、図１８のフローに従って処理する。
【００８４】
図４９は、一括認証に係る各装置の構成（その２）を示す図である。図に示すように、統合サーバ６は、実施の形態１におけるＡ銀行サーバ２の構成モジュールと同様の統合口座表示情報提供部２０４、統合テーブル２０７、一括認証用口座認証判定部２０８、一括認証用口座認証中継部２０９、及び個別認証用口座認証中継部２１０を備えている。
【００８５】
本実施の形態では、一括認証の代表口座認証の際に、代表口座の管理体に従って、認証を依頼するサーバを振り分ける必要があるので、一括認証用代表口座認証処理が前述の形態と異なる。図５０は、一括認証用代表口座認証処理に係る構成とデータフロー（その２）を示す図である。また、図５１は、一括認証用代表口座認証判定依頼処理フロー（その２）を示す図である。
【００８６】
カードからカード種別と口座番号を読み取り（Ｓ５１０１）、カード中のカード種別と口座番号と、暗証番号入力画面２８０４で入力された暗証番号を含む一括認証用口座認証判定依頼を生成し、統合サーバ（代表口座管理サーバ）に送信する（Ｓ５１０２）。そして、統合サーバ（代表口座管理サーバ）から認証結果を受信し（Ｓ５１０３）、認証結果をステータスとして出力して終了する（Ｓ５１０４）。
【００８７】
一括認証用口座認証判定処理（Ｓ５１０２）について詳述する。図５２は、一括認証用口座認証判定処理フロー（その２）を示す図である。
【００８８】
カード種別と口座番号と暗証番号を含む一括認証用口座認証判定依頼を受信すると（Ｓ５２０１）、統合テーブル２０７について、一括認証用口座認証判定依頼のカード種別に相当する代表口座管理体ＩＤを有し、更に同依頼の口座番号と一致する代表口座番号を有するレコードを検索する（Ｓ５２０２）。該当するレコードが無い場合や（Ｓ５２０３）、当該レコードの統合数が０の場合は（Ｓ５２０４）、認証結果を失敗とする（Ｓ５２１０）。当該レコードの統合数が１以上の場合には（Ｓ５２０４）、一括認証用口座認証判定依頼のカード種別に相当する代表口座管理体ＩＤに対応する代表口座管理サーバを特定し（Ｓ５２０５）、一括認証用口座認証判定依頼中の口座番号と暗証番号を含む口座認証判定依頼を生成し、代表口座管理サーバへ送信する（Ｓ５２０６）。そして、代表口座管理サーバから認証結果を受信し（Ｓ５２０７）、その認証結果を依頼元へ認証結果を返信して終了する（Ｓ５２１１）。この例で、依頼元は、Ａ銀行端末１となる。
【００８９】
Ａ銀行端末１等の端末、Ａ銀行サーバ２等の口座管理体サーバ、及び統合サーバ６は、コンピュータであり、各要素はプログラムにより処理を実行することができる。また、プログラムを記憶媒体に記憶させ、記憶媒体からコンピュータに読み取られるようにすることができる。
【図面の簡単な説明】
【００９０】
【図１】統合サービスシステムのネットワーク構成例（その１）を示す図である。
【図２】統合サービスシステムのネットワーク構成例（その２）を示す図である。
【図３】統合登録に係る画面フローを示す図である。
【図４】統合登録に係る各装置の構成（その１）を示す図である。
【図５】Ａ銀行口座テーブルの例を示す図である。
【図６】Ｂ証券口座テーブルの例を示す図である。
【図７】Ｃ信販口座テーブルの例を示す図である。
【図８】Ｄローン口座テーブルの例を示す図である。
【図９】統合テーブルの例（その１）を示す図である。
【図１０】統合登録処理フローを示す図である。
【図１１】代表口座認証処理に係る構成とデータフローを示す図である。
【図１２】代表口座認証処理フローを示す図である。
【図１３】代表口座認証判定依頼処理フロー（その１）を示す図である。
【図１４】口座認証判定処理フロー＜Ａ銀行サーバ側＞を示す図である。
【図１５】統合対象口座認証処理に係る構成とデータフローを示す図である。
【図１６】統合対象口座認証処理フローを示す図である。
【図１７】統合対象口座認証判定依頼処理フロー（その１）を示す図である。
【図１８】口座認証中継処理フロー＜Ａ銀行サーバ側＞を示す図である。
【図１９】口座認証判定処理フロー＜Ｂ証券サーバ側＞を示す図である。
【図２０】統合口座登録処理に係る構成とデータフローを示す図である。
【図２１】統合口座登録処理フローを示す図である。
【図２２】統合口座記録依頼処理フローを示す図である。
【図２３】統合口座記録処理フロー＜Ａ銀行サーバ側＞を示す図である。
【図２４】統合口座確認処理に係る構成とデータフローを示す図である。
【図２５】統合口座確認処理フローを示す図である。
【図２６】統合口座表示情報提供処理フロー＜Ａ銀行サーバ側＞を示す図である。
【図２７】統合口座削除処理フロー＜Ａ銀行サーバ側＞を示す図である。
【図２８】一括認証に係る画面フローを示す図である。
【図２９】一括認証に係る各装置の構成（その１）を示す図である。
【図３０】一括認証処理フローを示す図である。
【図３１】一括認証用代表口座認証処理に係る構成とデータフロー（その１）を示す図である。
【図３２】一括認証用代表口座認証処理フローを示す図である。
【図３３】一括認証用代表口座認証判定依頼処理フロー（その１）を示す図である。
【図３４】一括認証用口座認証判定処理フロー＜Ａ銀行サーバ側＞を示す図である。
【図３５】統合対象口座一括認証処理に係る構成とデータフローを示す図である。
【図３６】統合対象口座一括認証処理フローを示す図である。
【図３７】統合対象口座一括認証判定依頼処理フローを示す図である。
【図３８】一括認証用口座認証中継処理フロー＜Ａ銀行サーバ側＞を示す図である。
【図３９】統合対象口座個別認証処理に係る構成とデータフロー（その１）を示す図である。
【図４０】Ｂ証券サーバ３での暗証番号変更処理フローを示す図である。
【図４１】Ｂ証券サーバ３から結果を受信した、Ａ銀行サーバ２での処理フローを示す図である。
【図４２】統合対象口座認証判定依頼処理に係る構成とデータフロー（その２）を示す図である。
【図４３】統合対象口座認証判定依頼処理フロー（その２）を示す図である。
【図４４】統合サービスシステムのネットワーク構成例（その３）を示す図である。
【図４５】統合登録に係る各装置の構成（その２）を示す図である。
【図４６】統合テーブルの例（その２）を示す図である。
【図４７】代表口座認証判定依頼処理に係る構成とデータフロー（その２）を示す図である。
【図４８】代表口座認証判定依頼処理フロー（その２）を示す図である。
【図４９】一括認証に係る各装置の構成（その２）を示す図である。
【図５０】一括認証用代表口座認証処理に係る構成とデータフロー（その２）を示す図である。
【図５１】一括認証用代表口座認証判定依頼処理フロー（その２）を示す図である。
【図５２】一括認証用口座認証判定処理フロー（その２）を示す図である。
【符号の説明】
【００９１】
１  Ａ銀行端末、２  Ａ銀行サーバ、３  Ｂ証券サーバ、４  Ｃ信販サーバ、５  Ｄローンサーバ、６  統合サーバ、３１  Ａ銀行メニュー画面、３２  統合サービスメニュー画面、３３  カード入力指示画面、３４  暗証番号入力画面、３５  カード入力指示画面、３６  暗証番号入力画面、３７  統合口座登録指示画面、３８  統合口座確認画面、１１０  代表口座認証部、１１１  代表口座認証判定依頼部、１２０  統合対象口座認証部、１２１  統合対象口座認証判定依頼部、１３０  統合口座登録部、１３１  統合口座記録依頼部、１４０  統合口座確認部、１５０  一括認証用代表口座認証部、１５１  一括認証用代表口座認証判定依頼部、１６０  統合対象口座一括認証部、１６１  統合対象口座一括認証判定依頼部、１７０  統合対象口座個別認証部、２０１  口座認証判定部、２０２  口座認証中継部、２０３  統合口座記録部、２０４  統合口座表示情報提供部、２０５  統合口座削除部、２０６  Ａ銀行口座テーブル、２０７  統合テーブル、２０８  一括認証用口座認証判定部、２０９  一括認証用口座認証中継部、２１０  個別認証用口座認証中継部、２１１  統合口座更新部、３０１  Ｂ証券口座テーブル、３０２  口座認証判定部、４０１  口座認証判定部、４０２  Ｃ信販口座テーブル、５０１  口座認証判定部、５０２  Ｄローン口座テーブル、２８０１  Ａ銀行メニュー画面、２８０２  統合サービスメニュー画面、２８０３  カード入力指示画面、２８０４  暗証番号入力画面、２８０５  統合口座選択画面、２８０６  暗証番号入力画面、２８０７  Ｂ証券メニュー画面。
【図１】
2005165739.tif 000003
【図２】
2005165739.tif 000004
【図３】
2005165739.tif 000005
【図４】
2005165739.tif 000006
【図５】
2005165739.tif 000007
【図６】
2005165739.tif 000008
【図７】
2005165739.tif 000009
【図８】
2005165739.tif 000010
【図９】
2005165739.tif 000011
【図１０】
2005165739.tif 000012
【図１１】
2005165739.tif 000013
【図１２】
2005165739.tif 000014
【図１３】
2005165739.tif 000015
【図１４】
2005165739.tif 000016
【図１５】
2005165739.tif 000017
【図１６】
2005165739.tif 000018
【図１７】
2005165739.tif 000019
【図１８】
2005165739.tif 000020
【図１９】
2005165739.tif 000021
【図２０】
2005165739.tif 000022
【図２１】
2005165739.tif 000023
【図２２】
2005165739.tif 000024
【図２３】
2005165739.tif 000025
【図２４】
2005165739.tif 000026
【図２５】
2005165739.tif 000027
【図２６】
2005165739.tif 000028
【図２７】
2005165739.tif 000029
【図２８】
2005165739.tif 000030
【図２９】
2005165739.tif 000031
【図３０】
2005165739.tif 000032
【図３１】
2005165739.tif 000033
【図３２】
2005165739.tif 000034
【図３３】
2005165739.tif 000035
【図３４】
2005165739.tif 000036
【図３５】
2005165739.tif 000037
【図３６】
2005165739.tif 000038
【図３７】
2005165739.tif 000039
【図３８】
2005165739.tif 000040
【図３９】
2005165739.tif 000041
【図４０】
2005165739.tif 000042
【図４１】
2005165739.tif 000043
【図４２】
2005165739.tif 000044
【図４３】
2005165739.tif 000045
【図４４】
2005165739.tif 000046
【図４５】
2005165739.tif 000047
【図４６】
2005165739.tif 000048
【図４７】
2005165739.tif 000049
【図４８】
2005165739.tif 000050
【図４９】
2005165739.tif 000051
【図５０】
2005165739.tif 000052
【図５１】
2005165739.tif 000053
【図５２】
2005165739.tif 000054